(57)【特許請求の範囲】
【請求項１】
肘当て受け体と、この肘当て受け体の上面に所要の空間部を形成して覆蓋されるパッド部材とを備える椅子の肘掛装置において、前記パッド部材を、上面を周縁部よりも薄肉とした適度の弾性を有する硬質合成樹脂製の芯材と、その上面を覆う軟質合成樹脂製の表装材とにより形成したことを特徴とする椅子の肘掛装置。
【請求項２】
肘当て受け体と、この肘当て受け体の上面に所要の空間部を形成して覆蓋されるパッド部材とを備える椅子の肘掛装置において、前記パッド部材を、周縁部を除いた上面に開口部を有する硬質合成樹脂製の芯材と、その上面を覆う軟質合成樹製の表装材とにより形成したことを特徴とする椅子の肘掛装置。
【請求項３】
芯材の周縁部下面に、肘当て受け体にねじにより取付けられる複数の雌ねじ筒を設けた請求項１または２記載の椅子の肘掛装置。
【請求項４】
芯材と表装材とを、インサート成形により一体的に形成した請求項１〜３のいずれかに記載の椅子の肘掛装置。
【請求項５】
芯材の材料を、ポリエチレンテレフタレートとするとともに、表装材の材料をエラストマ樹脂とした請求項１〜４のいずれかに記載の椅子の肘掛装置。
【発明の詳細な説明】
【０００１】
【発明の属する技術分野】
本発明は、椅子の肘掛装置に関する。
【０００２】
【従来の技術】
椅子の肘掛装置の中には、肘掛支柱の上部に設けられた肘当て受け体と表装材との間に、スポンジやフェルト等の軽量で弾性を有する詰め物を挟み込んで、腕や肘を置いたとき、柔らかな感触が肘に伝わるようにしたものがある。
【０００３】
【発明が解決しようとする課題】
しかし、従来の詰め物を挾み込んでなる肘掛装置は、肘掛けに体重にかけて寄り掛かった際に、詰め物が完全に押し潰されて、肘に柔らかさが伝わってこないという問題がある。
また、詰め物を挟み込む作業が面倒で手間がかかり、製造コストが高くなるという問題もある。
さらに、長期間の使用により表装材が摺り切れた際、詰め物が露呈したり表装材よりはみ出して、体裁が損なわれる問題がある。
【０００４】
本発明は、上述の問題点に鑑み、詰め物を用いたりすることなく、簡単な構造で、肘に柔らかな感触が伝わるようにした椅子の肘掛装置を提供することを目的としている。
【０００５】
【課題を解決するための手段】
本発明によると、上記課題は、次のようにして解決される。
(１) 肘当て受け体と、この肘当て受け体の上面に所要の空間部を形成して覆蓋されるパッド部材とを備える椅子の肘掛装置において、前記パッド部材を、上面を周縁部よりも薄肉とした適度の弾性を有する硬質合成樹脂製の芯材と、その上面を覆う軟質合成樹脂製の表装材とにより形成する。
【０００６】
(２) 肘当て受け体と、この肘当て受け体の上面に所要の空間部を形成して覆蓋されるパッド部材とを備える椅子の肘掛装置において、前記パッド部材を、周縁部を除いた上面に開口部を有する硬質合成樹脂製の芯材と、その上面を覆う軟質合成樹製の表装材とにより形成する。
【０００７】
(３) 上記(１)または(２)項において、芯材の周縁部下面に、肘当て受け体にねじにより取付けられる複数の雌ねじ筒を設ける。
【０００８】
(４) 上記(１)〜(３)項のいずれかにおいて、芯材と表装材とを、インサート成形により一体的に形成する。
【０００９】
(５) 上記(１)〜(４)項のいずれかにおいて、芯材の材料を、ポリエチレンテレフタレートとするとともに、表装材の材料をエラストマ樹脂とする。
【００１０】
【発明の実施の形態】
以下、本発明の実施の形態を、図１〜図６に基づいて説明する。
図１に示すように、椅子の肘掛装置(１)は、脚支柱(２)上の座部(３)の両側部より若干前傾させて起立する肘掛支柱(４)に高さ調節可能に取付けられた昇降杆(５)の上端部に、ほぼ水平をなして設けられている。昇降杆(５)の高さ調節は、昇降杆(５)の前部に設けられた操作レバー(６)を昇降杆(５)と一緒に握ることによって行われる。
【００１１】
肘掛装置(１)は、図２に示すように、昇降杆(５)の上部に取付けられた肘当て受け体(７)と、この肘当て受け体(７)の上面上に空間部(1a)(図５、図６参照)が形成されるようにして覆蓋されたパッド部材(８)とを備えている。
【００１２】
パッド部材(８)は、周縁部に対し中央部をなだらかに盛り上げたドーム状をなすとともに、適度の弾性を有する硬質合成樹脂製の芯材(９)と、この表面を覆うようにして芯材(９)と一体的にインサート成形された軟質合成樹脂製の表装材(10)とからなっている。
【００１３】
上記芯材(９)は、ポリエチレンテレフタレートにより、また表装材(10)は、柔軟性と弾性を有するポリエステル系のエラストマにより、それぞれ形成されている。
【００１４】
ポリエチレンテレフタレートは、通称ペット(ＰＥＴ)と呼ばれており、分子鎖の中にベンゼン環を含むので、結晶性が高く、ペットボトルなどの飲料容器、写真フィルム、磁気テープ等に使用されている他、電気特性にも優れているため、コネクター、電気電子部品、モータの部品等にも使用されている。また、比重が約１.３４で、かつポリエチレンなどポリオレフィンの比重が１未満であることから、水による分離が容易であり、リサイクルに適した好条件を備える合成樹脂である。
従って、芯材(10)をペット(ＰＥＴ)樹脂とすることにより、大量に消費されているペットボトルをはじめとする、上記各製品の廃品をリサイクルして安価に製造しうるだけでなく、省資源やゴミの問題にも寄与することができる。
【００１５】
図５に示すように、芯材(９)における周縁部を除いた上面には、薄肉部(11)が形成され、下向きに弾性変形し易くしてある。
また、表装材(10)の上面の厚さは、芯材(９)に薄肉部(11)を形成した分だけ厚肉となっている。
【００１６】
パッド部材(８)は、芯材(９)の下面４隅に下向きに突設された４本の雌ねじ筒(12)と、肘当て受け体(７)の上面４隅に一体的に突設された、スペーサを兼ねる４個のボス部(13)との対向面を突合わせ、ボス部(13)の下方より挿入したねじ(14)を各雌ねじ筒(12)に向かって螺挿することにより、肘当て受け体(７)の上部に所要の空間部(1a)を設けて取付けられている。
【００１７】
肘当て受け体(７)の周縁部の上端と、表装材(10)の周縁部下端とには、互いに密に嵌合し合う段部(7a)(10a)が形成され、これにより、肘掛装置(１)の空間部(1a)内は、ほぼ密閉状態に保たれる。
【００１８】
上記実施形態の肘掛装置(１)において、パッド部材(８)は、硬質合成樹脂製の芯材(９)と、この表面を覆う軟質合成樹脂製の表装材(10)とからなり、かつ芯材(９)の上面には薄肉部(11)が形成されているため、図６に示すように、パッド部材(８)の上面を押圧した際、芯材(９)における薄肉部(11)が、その上面の表装材(10)と共に下向きに弾性変形して撓むようになる。
従って、表装材(10)の上面に肘を掛けた際に、肘にソフトな感覚が伝わるとともに、適度の弾性感覚も伝わり、快適な肘掛感が得られる。
【００１９】
図７は、本発明の他の実施形態を示す。
この実施形態においては、上述と同様の芯材(９)における周縁部を除いた上面に開口部(15)を形成し、この開口部(15)を覆うようにして、芯材(９)の表面全体を上述と同材質の表装材(10)により覆蓋してある。
【００２０】
このようにすると、想像線で示すように、表装材(10)は、芯材(９)の開口部(15)において下向きに撓むことができ、上記実施形態と同様、肘にソフトな感覚が伝わり、快適な肘掛感が得られる。
【００２１】
【発明の効果】
請求項１記載の発明によれば、芯材の上面の薄肉部が下向きに弾性変形して撓み易くなり、かつ表装材も軟質であるため、パッド部材に肘を当てたとき、肘にソフトな感覚が伝わるとともに、適度の弾性感覚も伝わり、快適な肘掛感が得られる。
【００２２】
請求項２記載の発明によれば、パッド部材に肘を掛けた際、表装材の上面が、芯材の上面の開口部において下向きに撓むので、上述と同様、肘にソフトな感覚が伝わり、快適な肘掛感が得られる。
【００２３】
請求項３記載の発明によれば、パッド部材をねじにより肘当て受け体に簡単かつ確実に取付けることができる。
【００２４】
請求項４記載の発明によれば、芯材と表装材とからなるパッド部材を、１度の成形工程で容易に製造することができ、コスト低減が図れる。
【００２５】
請求項５記載の発明によれば、芯材をペットボトル等の廃品をリサイクルして安価に製造することができるので、省資源となる。
また、表装材をエラストマ樹脂とすることにより、それ自体が若干の弾性を有するようになるため、肘掛感がより快適となる。
【図面の簡単な説明】
【図１】本発明の肘掛装置を備える椅子の斜視図である。
【図２】同じく、肘掛装置の分解斜視図である。
【図３】同じく、パッド部材の分解斜視図である。
【図４】同じく、パッド部材の平面図である。
【図５】図４におけるＶ−Ｖ線の拡大縦断側面図である。
【図６】パッド部材に押圧力を加えたときの拡大縦断側面図である。
【図７】本発明の他の実施形態を示す中央縦断側面図である。
【符号の説明】
(１)肘掛装置
(1a)空間部
(２)脚支柱
(３)座部
(４)肘掛支柱
(５)昇降杆
(６)操作レバー
(７)肘当て受け体
(7a)段部
(８)パッド部材
(９)芯材
(10)表装材
(10a)段部
(12)雌ねじ部
(13)ボス部
(14)ねじ
(15)開口部
【図１】
0004209547.tif 000002
【図２】
0004209547.tif 000003
【図３】
0004209547.tif 000004
【図４】
0004209547.tif 000005
【図５】
0004209547.tif 000006
【図６】
0004209547.tif 000007
【図７】
0004209547.tif 000008